(57)【要約】 【課題】ログ情報を送信する際の遅延を極小化することが可能な衛星通信システムを提供する。【解決手段】衛星通信システムは、ＤＡＭＡにより割り当てられた通信回線を利用し、リモート監視サーバと移動局とを衛星を介して通信させる。リモート監視サーバは第１及び第２の処理部を備え、移動局は第３及び第４の処理部を備える。第１の処理部は、移動局との通信回線が確立されたことを判断する。第２の処理部は、通信回線が確立されている場合に、移動局のログ情報を要求する要求コマンドを移動局へ送信し、要求コマンドに応じたログデータを移動局から受信すると、ログデータを復号し、ログデータから複数のログ情報を取得する。第３の処理部は、リモート監視サーバとの通信回線が確立されたとする。第４の処理部は、要求コマンドを受信すると、ログ情報を符号化し、符号化したログ情報を所定容量分まとめてログデータを作成し、リモート監視サーバへ送信する。【選択図】図７
2014116780.tif 000002
【特許請求の範囲】
【請求項１】
要求割当多重接続（ＤＡＭＡ：Demand Assignment Multiple Access）により割り当てられた通信回線を利用し、リモート監視サーバと移動局とを衛星を介して通信させる衛星通信システムにおいて、
前記リモート監視サーバは、
前記移動局の状態を要求する状態要求コマンドを前記移動局へ送信し、前記状態要求コマンドに対する状態応答コマンドを受信した場合、前記移動局との通信回線が確立されたと判断する第１の処理部と、
前記通信回線が確立されている場合に、前記移動局のログ情報を要求するログ取得要求コマンドを前記移動局へ送信し、前記ログ取得要求コマンドに応じて前記移動局から送信され、かつ、複数の前記ログ情報が予め設定された符号化方式により符号化されて作成されるログデータを前記符号化方式に対応させて復号し、前記ログ情報を取得する第２の処理部と
を備え、
前記移動局は、
前記状態要求コマンドを受信すると、前記リモート監視サーバとの通信回線が確立されたと判断し、前記状態応答コマンドを前記リモート監視サーバへ送信する第３の処理部と、
前記ログ取得要求コマンドを受信すると、前記符号化方式を用いて前記ログ情報を符号化し、前記符号化したログ情報を予め設定された容量分だけまとめて前記ログデータを作成し、前記ログデータを前記リモート監視サーバへ送信する第４の処理部と
を備える衛星通信システム。
【請求項２】
前記第４の処理部は、最新のログ情報から順に符号化する請求項１記載の衛星通信システム。
【請求項３】
前記第４の処理部は、前記ログ情報を定形ログと不定形ログとに分類し、前記定形ログを符号化する請求項１又は２に記載の衛星通信システム。
【請求項４】
前記第４の処理部は、前記ログ情報を、件番号を示す第１の項目、分類を示す第２の項目、日付／時刻を示す第３の項目、機器名称を示す第４の項目、前記ログ情報を第１の内容を示す第５の項目、前記ログ情報の第２の内容を示す第６の項目、及び、発生／復旧を示す第７の項目で構成されるように符号化し、
前記第２の処理部は、前記７個の項目について復号する請求項１乃至３のいずれかに記載の衛星通信システム。
【請求項５】
前記第４の処理部は、固定文言ログを文字に符号化するための第１の対応テーブルを予め有し、前記ログ情報が固定文言ログである場合、前記固定文言ログを前記第１の対応テーブルを参照して符号化した文字を前記第５の項目に記載し、前記ログ情報が可変文言ログである場合、識別子を前記第５の項目に記載し、前記可変文言ログを前記第６の項目に記載し、
前記第２の処理部は、符号化された文字を固定文言ログへ復号するための第２の対応テーブルを予め有し、前記第５の項目に前記符号化された文字が記載される場合、前記符号化された文字を前記第２の対応テーブルを参照して復号し、前記第５の項目に前記識別子が記載される場合、前記第６の項目から前記可変文言ログを読み取る請求項４記載の衛星通信システム。
【請求項６】
前記第１の処理部は、前記通信回線が確立された状態で、前記状態要求コマンドを予め設定された周期で前記移動局へ送信し、前記状態要求コマンドを送信した後、予め設定されたタイムアウト時間内に前記状態応答コマンドを受信しない状態が所定回数続く場合、一切のコマンド送信を停止する請求項１乃至５のいずれかに記載の衛星通信システム。
【請求項７】
前記第１の処理部は、前記通信回線が確立された状態で、前記状態要求コマンドを予め設定された周期で前記移動局へ送信し、
前記第３の処理部は、前記状態要求コマンドを受信した後、予め設定した設定時間内に新たなコマンドを受信しない場合、一切のコマンド送信を停止する請求項１乃至６のいずれかに記載の衛星通信システム。
【請求項８】
前記リモート監視サーバは、前記確立された通信回線を停止する回線停止要求コマンドを前記移動局へ送信した後、一切のコマンド送信を停止し、前記回線停止要求コマンドに対する回線停止応答コマンドを受信した場合、前記移動局との通信回線が停止されたと判断する第５の処理部をさらに備え、
前記移動局は、前記回線停止要求コマンドを受信すると、前記回線停止応答コマンドを前記リモート監視サーバへ出力し、一切のコマンド送信を停止する第６の処理部をさらに備える請求項１乃至７のいずれかに記載の衛星通信システム。
【請求項９】
前記第３の処理部は、トリガ操作に応じてスタンバイ通知コマンドを前記リモート監視サーバへ送信し、
前記第１の処理部は、前記スタンバイ通知コマンドを受信すると、前記状態要求コマンドの送信を開始する請求項１乃至８のいずれかに記載の衛星通信システム。
【請求項１０】
前記第３の処理部は、前記スタンバイ通知コマンドに前記移動局の状態情報を含めて前記スタンバイ通知コマンドを送信する請求項９記載の衛星通信システム。
【請求項１１】
要求割当多重接続（ＤＡＭＡ：Demand Assignment Multiple Access）により割り当てられた通信回線を利用し、リモート監視サーバと移動局とを衛星を介して通信させる衛星通信システムで用いられる移動局監視方法において、
前記リモート監視サーバが、前記移動局の状態を要求する状態要求コマンドを前記移動局へ送信し、前記状態要求コマンドに対する状態応答コマンドを前記移動局から受信すると、前記移動局との通信回線が確立されたと判断し、
前記移動局が、前記状態要求コマンドを受信し、前記受信した状態要求コマンドに対する状態応答コマンドを前記リモート監視サーバへ送信すると、前記リモート監視サーバとの通信回線が確立されたと判断し、
前記通信回線が確立されている状態で、前記移動局のログ情報が要求された場合、
前記移動局が、予め設定された符号化方式を用いて前記ログ情報を符号化し、
前記移動局が、前記符号化したログ情報を予め設定された容量分だけまとめてログデータを作成し、
前記移動局が、前記ログデータを前記リモート監視サーバへ送信し、
前記リモート監視サーバが、前記移動局から送信される前記ログデータを前記符号化方式に対応させて復号し、前記ログ情報を取得する移動局監視方法。
【請求項１２】
要求割当多重接続（ＤＡＭＡ：Demand Assignment Multiple Access）により割り当てられた通信回線を利用し、リモート監視サーバと移動局とを衛星を介して通信させる衛星通信システムで用いられる移動局監視プログラムにおいて、
前記移動局の状態を要求する状態要求コマンドを前記移動局へ送信し、前記状態要求コマンドに対する状態応答コマンドを受信した場合、前記移動局との通信回線が確立されたと判断する第１の処理と、
前記通信回線が確立されている状態で、前記移動局のログ情報を要求するログ取得要求コマンドを前記移動局へ送信し、前記ログ取得要求コマンドに応じて前記移動局から送信され、かつ、複数の前記ログ情報が予め設定された符号化方式により符号化されて作成されるログデータを前記符号化方式に対応させて復号し、前記ログ情報を取得する第２の処理と
を前記リモート監視サーバに備えられるコンピュータに実行させ、
前記状態要求コマンドを受信すると、前記リモート監視サーバとの通信回線が確立されたと判断し、前記状態応答コマンドを前記リモート監視サーバへ送信する第３の処理と、
前記ログ取得要求コマンドを受信すると、前記符号化方式を用いて前記ログ情報を符号化し、前記符号化したログ情報を予め設定された容量分だけまとめて前記ログデータを作成し、前記ログデータを前記リモート監視サーバへ送信する第４の処理と
を前記移動局に備えられるコンピュータに実行させる移動局監視プログラム。
【請求項１３】
前記第４の処理は、最新のログ情報から順に符号化する請求項１２記載の移動局監視プログラム。
【請求項１４】
前記第４の処理は、前記ログ情報を定形ログと不定形ログとに分類し、前記定形ログを符号化する請求項１２又は１３に記載の移動局監視プログラム。
【請求項１５】
前記第４の処理は、前記ログ情報を、件番号を示す第１の項目、分類を示す第２の項目、日付／時刻を示す第３の項目、機器名称を示す第４の項目、前記ログ情報を第１の内容を示す第５の項目、前記ログ情報の第２の内容を示す第６の項目、及び、発生／復旧を示す第７の項目で構成されるように符号化し、
前記第２の処理は、前記７個の項目について復号する請求項１２乃至１４のいずれかに記載の移動局監視プログラム。
【請求項１６】
前記第４の処理は、前記ログ情報が固定文言ログである場合、前記固定文言ログを文字に符号化するための第１の対応テーブルを参照して前記固定文言ログを符号化し、前記符号化した文字を前記第５の項目に記載し、
前記第４の処理は、前記ログ情報が可変文言ログである場合、識別子を前記第５の項目に記載し、前記可変文言ログを前記第６の項目に記載し、
前記第２の処理は、前記第５の項目に前記符号化された文字が記載される場合、前記符号化された文字を固定文言ログへ復号するための第２の対応テーブルを参照して前記符号化された文字を復号し、
前記第２の処理は、前記第５の項目に前記識別子が記載される場合、前記第６の項目から前記可変文言ログを読み取る請求項１５記載の移動局監視プログラム。
【請求項１７】
前記第１の処理は、前記通信回線が確立された状態で、前記状態要求コマンドを予め設定された周期で前記移動局へ送信し、前記状態要求コマンドを送信した後、予め設定されたタイムアウト時間内に前記状態応答コマンドを受信しない状態が所定回数続く場合、一切のコマンド送信を停止する請求項１２乃至１６のいずれかに記載の移動局監視プログラム。
【請求項１８】
前記第１の処理は、前記通信回線が確立された状態で、前記状態要求コマンドを予め設定された周期で前記移動局へ送信し、
前記第３の処理は、前記状態要求コマンドを受信した後、予め設定した設定時間内に新たなコマンドを受信しない場合、一切のコマンド送信を停止する請求項１２乃至１７のいずれかに記載の移動局監視プログラム。
【請求項１９】
前記確立された通信回線を停止する回線停止要求コマンドを前記移動局へ送信した後、一切のコマンド送信を停止し、前記回線停止要求コマンドに対する回線停止応答コマンドを受信した場合、前記移動局との通信回線が停止されたと判断する第５の処理を前記リモート監視サーバのコンピュータにさらに実行させ、
前記回線停止要求コマンドを受信すると、前記回線停止応答コマンドを前記リモート監視サーバへ出力し、一切のコマンド送信を停止する第６の処理を前記移動局のコンピュータにさらに実行させる請求項１２乃至１８のいずれかに記載の移動局監視プログラム。
【請求項２０】
前記第３の処理は、トリガ操作に応じてスタンバイ通知コマンドを前記リモート監視サーバへ送信し、
前記第１の処理は、前記スタンバイ通知コマンドを受信すると、前記状態要求コマンドを送信を開始する請求項１２乃至１９のいずれかに記載の移動局監視プログラム。
【請求項２１】
前記第３の処理は、前記スタンバイ通知コマンドに前記移動局の状態情報を含めて前記スタンバイ通知コマンドを送信する請求項２０記載の移動局監視プログラム。
【請求項２２】
要求割当多重接続（ＤＡＭＡ：Demand Assignment Multiple Access）により割り当てられた通信回線を利用し、リモート監視サーバと移動局とを衛星を介して通信させる衛星通信システムで用いられる移動局において、
ログ情報を要求するログ取得要求コマンドを前記リモート監視サーバから受信すると、予め設定された符号化方式を用いて前記ログ情報を符号化し、前記符号化したログ情報を予め設定された容量分だけまとめて前記ログデータを作成し、前記ログデータを前記リモート監視サーバへ送信する処理部を具備する移動局。
【請求項２３】
前記処理部は、前記ログ情報を、件番号を示す第１の項目、分類を示す第２の項目、日付／時刻を示す第３の項目、機器名称を示す第４の項目、前記ログ情報を第１の内容を示す第５の項目、前記ログ情報の第２の内容を示す第６の項目、及び、発生／復旧を示す第７の項目で構成されるように符号化する請求項２２記載の移動局。
【請求項２４】
前記処理部は、固定文言ログを文字に符号化するための対応テーブルを予め有し、前記ログ情報が固定文言ログである場合、前記固定文言ログを前記対応テーブルを参照して符号化した文字を前記第５の項目に記載し、前記ログ情報が可変文言ログである場合、識別子を前記第５の項目に記載し、前記可変文言ログを前記第６の項目に記載する請求項２３記載の移動局。
【発明の詳細な説明】
【技術分野】
【０００１】
本発明の実施形態は、要求割当多重接続（DAMA : Demand Assignment Multiple Access）により回線を割り当てて通信を行う衛星通信システムと、この衛星通信システムで使用される移動局、移動局監視方法及び移動局監視プログラムとに関する。
【背景技術】
【０００２】
従来、ＤＡＭＡにより回線を割り当てて通信を行う衛星通信システムでは、リモート監視サーバと移動局とは、衛星を介して確立される回線を用いて通信を行う。
【０００３】
移動局は、リモート監視サーバからログ情報が要求されると、ログ情報をリモート監視サーバへ送信する。移動局は、ログ情報をリモート監視サーバへ送信する際、ログ情報を送信することをリモート監視サーバに確認し、確認後、ログ情報をリモート監視サーバへ送信するようにしている。すなわち、１つのログ情報を送信するのに、リモート監視サーバと移動局との間では、信号のやり取りが複数回行われることになる。そのため、複数のログ情報をリモート監視サーバへ送信しようとする場合、リモート監視サーバと移動局との間で、送信するログ情報の件数よりも多くの回数の信号のやり取りが実施されることになる。衛星通信システムでは、１回の通信におよそ０．５秒程度の遅延が発生するため、複数のログ情報を送信しようとすると、遅延時間が大きくなるという問題がある。
【先行技術文献】
【特許文献】
【０００４】
【特許文献１】特開２００７−２０１７７８号公報
【発明の概要】
【発明が解決しようとする課題】
【０００５】
以上のように、従来の衛星通信システムでは、移動局からリモート監視サーバへ複数のログ情報を送信する場合、遅延時間が大きくなるという問題がある。
【０００６】
そこで、目的は、ログ情報を送信する際の遅延を極小化することが可能な衛星通信システムと、この衛星通信システムで使用される移動局、移動局監視方法及び移動局監視プログラムとを提供することにある。
【課題を解決するための手段】
【０００７】
実施形態によれば、衛星通信システムは、要求割当多重接続により割り当てられた通信回線を利用し、リモート監視サーバと移動局とを衛星を介して通信させる。前記リモート監視サーバは、第１及び第２の処理部を備える。第１の処理部は、前記移動局の状態を要求する状態要求コマンドを前記移動局へ送信し、前記状態要求コマンドに対する状態応答コマンドを受信した場合、前記移動局との通信回線が確立されたと判断する。第２の処理部は、前記通信回線が確立されている場合に、前記移動局のログ情報を要求するログ取得要求コマンドを前記移動局へ送信し、前記ログ取得要求コマンドに応じて前記移動局から送信され、かつ、複数の前記ログ情報が予め設定された符号化方式により符号化されて作成されるログデータを前記符号化方式に対応させて復号し、前記ログ情報を取得する。前記移動局は、第３及び第４の処理部を備える。第３の処理部は、前記状態要求コマンドを受信すると、前記リモート監視サーバとの通信回線が確立されたと判断し、前記状態応答コマンドを前記リモート監視サーバへ送信する。第４の処理部は、前記ログ取得要求コマンドを受信すると、前記符号化方式を用いて前記ログ情報を符号化し、前記符号化したログ情報を予め設定された容量分だけまとめて前記ログデータを作成し、前記ログデータを前記リモート監視サーバへ送信する。
【図面の簡単な説明】
【０００８】
【図１】本実施形態に係る衛星通信システムの機能構成を示すブロック図である。
【図２】図１に示すリモート監視サーバの機能構成を示すブロック図である。
【図３】図１に示す移動局の機能構成を示すブロック図である。
【図４】図３に示す第２の処理部により作成されるログデータを示す図である。
【図５】図１に示すリモート監視サーバから送信されるシステム状態要求コマンドにより、リモート監視サーバと移動局との間の回線を確立する際の衛星通信システムのシーケンス図である。
【図６】図１に示す移動局から送信されるスタンバイ通知コマンドにより、リモート監視サーバと移動局との間の回線を確立する際の衛星通信システムのシーケンス図である。
【図７】図１に示すリモート監視サーバから送信されるログ取得要求コマンドに応じて、移動局がリモート監視サーバへログデータを送信する際の衛星通信システムのシーケンス図である。
【図８】図１に示すリモート監視サーバから送信される回線停止要求コマンドにより、リモート監視サーバと移動局との間の回線が開放される際の衛星通信システムのシーケンス図を示す。
【発明を実施するための形態】
【０００９】
以下、実施の形態について、図面を参照して説明する。
【００１０】
図１は、本実施形態に係る衛星通信システムの機能構成を示すブロック図である。図１に示す衛星通信システムは、リモート監視サーバ１０、監視側モデム２０−１〜２０−ｐ、ゲートウェイ２１、端末側モデム３０−１〜３０−ｑ、ゲートウェイ３１−１〜３１−ｑ、移動局４０−１〜４０−ｒ及び親モデム５０を具備する。なお、図１では、監視側モデム２０−１〜２０−ｐのチャンネルをゲートウェイ２１が管理する例を示しているが、例えば監視側モデム２０−１〜２０−５のチャンネルをゲートウェイが管理し、このゲートウェイにリモート監視サーバ１０が接続されていても構わない。
【００１１】
ゲートウェイ２１は、監視側モデムと端末側モデムとの間で回線が確立されていない状態で、移動局のいずれかを送信先として指定するシステム状態要求コマンドをリモート監視サーバ１０から受け取った場合、監視側モデムと、指定された移動局と接続する端末側モデムとの間で回線を確立するように、ＤＡＭＡキャリアの割り当てを要求する割当要求を親モデム５０へ出力する。
【００１２】
ゲートウェイ２１は、親モデム５０によりＤＡＭＡキャリアが割り当てられて端末側モデムとの回線が確立された後、リモート監視サーバ１０から出力されるコマンドを受け取った場合、受け取ったコマンドの送信先アドレスを回線が確立された端末側モデムとして設定する。ゲートウェイ２１は、送信先アドレスを設定したコマンドを、チャンネルが空いている監視側モデム、例えば、監視側モデム２０−１へ送信する。
【００１３】
また、ゲートウェイ２１は、親モデム５０によりＤＡＭＡキャリアが割り当てられた後、監視側モデム２０−１から出力されるＴＣＰパケットを受け取った場合、受け取ったＴＣＰパケットをリモート監視サーバ１０へ出力する。
【００１４】
また、ゲートウェイ２１は、親モデム５０により端末側モデムとの回線が確立された後、何ら信号を受信しないまま予め設定される設定時間が経過すると、割り当てられているＤＡＭＡキャリアの開放を要求する開放要求を親モデム５０へ出力する。ここで、予め設定される設定時間とは、例えば３０秒である。
【００１５】
監視側モデム２０−１は、複数のチャンネルを有する。各チャンネルは、ゲートウェイ２１により管理される。監視側モデム２０−１は、親モデム５０により割り当てられたＤＡＭＡキャリアを、ゲートウェイ２１から供給されるコマンドにより変調してアナログ信号を作成する。監視側モデム２０−１は、作成したアナログ信号を、ゲートウェイ２１により設定された送信先アドレスへ送信する。アナログ信号は、衛星を介し、送信先アドレスとして指定された端末側モデムへ送信される。また、監視側モデム２０−１は、端末側モデムから送信されたアナログ信号を受信すると、受信したアナログ信号を復調してＴＣＰパケットを作成し、作成したＴＣＰパケットをゲートウェイ２１へ出力する。なお、監視側モデム２０−２〜２０−ｐの動作は、監視側モデム２０−１の動作と同様であるため、ここでは説明を割愛する。
【００１６】
ゲートウェイ３１−１は、端末側モデム３０−１のチャンネルを管理する。ゲートウェイ３１−１は、監視側モデムと端末側モデム３０−１との間で回線が確立されていない状態で、リモート監視サーバ１０を送信先として指定するスタンバイ通知コマンドを移動局４０−１から受け取った場合、リモート監視サーバ１０と接続する監視側モデムとの間で回線を確立するように、ＤＡＭＡキャリアの割り当てを要求する割当要求を親モデム５０へ出力する。
【００１７】
ゲートウェイ３１−１は、親モデム５０によりＤＡＭＡキャリアが割り当てられて監視側モデムとの回線が確立された後、移動局４０−１から出力されるコマンド又はデータのＴＣＰパケットを受け取った場合、受け取ったＴＣＰパケットの送信先アドレスを回線が確立された監視側モデムとして設定する。ゲートウェイ３１−１は、送信先アドレスを設定したＴＣＰパケットを、端末側モデム３０−１へ送信する。
【００１８】
また、ゲートウェイ３１−１は、親モデム５０により監視側モデムとの回線が確立された後、端末側モデム３０−１から出力されるＴＣＰパケットを受け取った場合、受け取ったＴＣＰパケットを移動局４０−１へ出力する。
【００１９】
また、ゲートウェイ３１−１は、親モデム５０により監視側モデムとの回線が確立された後、何ら信号を受信しないまま予め設定される設定時間が経過すると、割り当てられているＤＡＭＡキャリアの開放を要求する開放要求を親モデム５０へ出力する。なお、ゲートウェイ３１−２〜３２−ｑの動作は、ゲートウェイ３１−１の動作と同様であるため、ここでは説明を割愛する。
【００２０】
端末側モデム３０−１は、複数のチャンネルを有する。各チャンネルは、ゲートウェイ３１−１により管理される。端末側モデム３０−１は、親モデム５０により割り当てられたＤＡＭＡキャリアを、移動局４０−１から供給されるＴＣＰパケットにより変調してアナログ信号を作成する。端末側モデム３０−１は、作成したアナログ信号を、ゲートウェイ３１−１により設定された送信先アドレスへ送信する。アナログ信号は、衛星を介して送信先アドレスとして指定された監視側モデム２０−１へ送信される。また、端末側モデム３０−１は、監視側モデムから送信されたアナログ信号を受信すると、受信したアナログ信号を復調してＴＣＰパケットを作成し、作成したＴＣＰパケットをゲートウェイ３１−１へ出力する。なお、端末側モデム３０−２〜３０−ｑの動作は、端末側モデム３０−１の動作と同様であるため、ここでは説明を割愛する。
【００２１】
親モデム５０は、監視側モデム２０−１〜２０−ｐ及び端末側モデム３０−１〜３０−ｑが使用しているＤＡＭＡキャリアを把握する。親モデム５０は、ゲートウェイ２１から割当要求が出力されると、空いているＤＡＭＡキャリアを監視側モデム２０と、割当要求の対象として指定される端末側モデム３０とへ割り当てる。また、親モデムは、ゲートウェイ３１から割当要求が出力されると、空いているＤＡＭＡキャリアを監視側モデム２０と端末側モデム３０とへ割り当てる。
【００２２】
また、親モデム５０は、ゲートウェイ２１又はゲートウェイ３１から開放要求が出力されると、割り当てられているＤＡＭＡキャリアを開放する。
【００２３】
図２は、図１に示すリモート監視サーバ１０の機能構成を示すブロック図である。図２に示すリモート監視サーバ１０は、制御部１１、送信部１２、受信部１３及び表示部１４を備える。
【００２４】
制御部１１は、例えば、ＣＰＵ（Central Processing Unit）と、ＣＰＵが処理を実行するためのプログラムやデータの格納領域等を含むＲＯＭ（Read Only Memory）及びＲＡＭ（Random Access Memory）等とを備える。制御部１１は、格納されているプログラムをＣＰＵに実行させることで、第１乃至第３の処理部１１１〜１１３を実現する。
【００２５】
第１の処理部１１１は、衛星通信システムの利用者によるオンライン要求操作で移動局４０が指定されると、予め設定された周期で、システム状態要求コマンドを作成する。システム状態要求コマンドは、ダミーデータを兼ねる。第１の処理部１１１は、移動局４０を指定し、作成したシステム状態要求コマンドを、送信部１２からゲートウェイ２１へＴＣＰパケットとして出力する。
【００２６】
第１の処理部１１１は、システム状態要求コマンドを送信した後、予め設定されたタイムアウト時間内に、システム状態要求コマンドに対するシステム状態応答コマンドが受信部１３で受信されると、リモート監視サーバ１０と移動局４０との間でＤＡＭＡ  ＩＰ回線が確立されたとして、表示部１４に「ＯＮＬＩＮＥ」と表示させる。
【００２７】
システム状態要求コマンドを送信した後、タイムアウト時間内にシステム状態応答コマンドを受信しない状態が予め設定された回数だけ連続して続く場合、第１の処理部１１１は、移動局４０を発見することが不可能であるとして、表示部１４に「ＮＯＴ  ＦＯＵＮＤ」と表示させる。
【００２８】
第１の処理部１１１は、リモート監視サーバ１０と移動局４０との回線が確立された後も、システム状態要求コマンドを移動局４０へ送信する。このとき、第１の処理部１１１は、システム状態要求コマンドを送信する周期及びタイムアウト時間を、回線確立前のものから変更するようにしても構わない。
【００２９】
リモート監視サーバ１０と移動局４０との回線が確立されているときに、システム状態要求コマンドを送信した後、タイムアウト時間内にシステム状態応答コマンドを受信しない状態が予め設定された回数だけ連続して続く場合、第１の処理部１１１は、確立されていた回線が切断されてリモート監視サーバ１０と移動局４０とを接続する回線が回線停止終了ステータスになったとして、表示部１４に「ＯＦＦＬＩＮＥ」と表示させる。第１の処理部１１１は、回線が切断されたと判断した後は、一切のコマンド送信を停止する。これにより、予め設定される設定時間、ゲートウェイ２１が信号を受信しないことになり、ゲートウェイ２１から親モデム５０へ開放要求が送信されることになる。こうして、親モデム５０により割り当てられていた回線が速やかに開放される。親モデム５０により回線が開放されれば、使用されていたＤＡＭＡキャリア周波数帯域は、親モデム５０が空き周波数帯域として扱うことが可能となる。
【００３０】
また、第１の処理部１１１は、移動局４０から送信されるスタンバイ通知コマンドが受信部１３で受信されると、移動局４０を指定し、システム状態要求コマンドを送信部１２からゲートウェイ２１へ送信する。
【００３１】
第２の処理部１１２は、リモート監視サーバ１０と移動局４０との間の回線が確立されているときに、利用者からログ情報を取得する旨の要求を受けた場合、ログ取得要求コマンドを作成する。ログ取得要求コマンドには、利用者が求めるログ情報の件数が含まれる。第２の処理部１１２は、移動局４０を指定し、作成したログ取得要求コマンドを送信部１２からゲートウェイ２１へＴＣＰパケットとして出力し、表示部１４に「ＬＯＧ取得中」と表示させる。
【００３２】
第２の処理部１１２は、ログ取得要求コマンドに応答して移動局４０から送信されるログデータを受信部１３により受信する。ログデータには、移動局４０により符号化されたログ情報が複数含まれる。第２の処理部１１２は、受信したログデータを、移動局４０との間で予め設定されている符号化方式に基づいて復号し、ログデータに含まれる複数のログ情報を取得する。また、第２の処理部１１２は、移動局４０から送信されるログデータ送信完了コマンドを受信部１３により受信する。ログデータ送信完了コマンドには、送信したログ情報の件数が含まれる。第２の処理部１１２は、受信したログ情報の件数が、移動局４０から送信されたログ情報の件数と一致するか否かを判断し、一致する場合、ログ情報の取得が完了したとして、ログ取得完了コマンドを送信部１２からゲートウェイ２１へＴＣＰパケットとして出力すると共に、表示部１４に「ＬＯＧ取得完了」と表示させる。一致しない場合、第２の処理部１１２は、ログ取得要求コマンドを送信部１２からゲートウェイ２１へＴＣＰパケットとして再度送信する。
【００３３】
第２の処理部１１２は、ログ取得要求コマンドを送信した後、予め設定された設定時間内にログデータを受信しない場合、リモート監視サーバ１０と移動局４０とを接続する回線がログ取得エラーステータスになったとして、表示部１４に「ＬＯＧ取得エラー」と表示させる。これにより、ログ情報の取得処理が終了となる。
【００３４】
第３の処理部１１３は、リモート監視サーバ１０と移動局４０との間で回線が確立されているときに、利用者から回線を停止する旨の指示を受けた場合、回線停止要求コマンドを作成する。第３の処理部１１３は、移動局４０を指定し、作成した回線停止要求コマンドを送信部１２からゲートウェイ２１へＴＣＰパケットとして出力すると共に、表示部１４に「ＯＦＦＬＩＮＥ要求」と表示させる。第３の処理部１１３は、回線停止要求コマンドの送信後、コマンドの送信を一切停止する。回線停止要求コマンドに対する回線停止応答コマンドを移動局４０から受信した場合、第３の処理部１１３は、リモート監視サーバ１０と移動局４０とを接続する回線が回線停止終了ステータスになったとして、表示部１４に「ＯＦＦＬＩＮＥ」と表示させる。回線停止要求コマンドを送信した後、予め設定された設定時間内に回線停止応答コマンドを受信しない場合、第３の処理部１１３は、回線が切断されてリモート監視サーバ１０と移動局４０とを接続する回線が回線停止終了ステータスになったと判断し、表示部１４に「ＯＦＦＬＩＮＥ」と表示させる。第３の処理部１１３が回線停止要求コマンドを送信した後、一切のコマンド送信を停止することにより、予め設定される設定時間、ゲートウェイ２１が信号を受信しないことになり、ゲートウェイ２１から親モデム５０へ開放要求が送信される。こうして、親モデムにより割り当てられていた回線が速やかに開放される。
【００３５】
図３は、図１に示す移動局４０−１の機能構成を示すブロック図である。移動局４０−１〜４０−ｒの動作はそれぞれ同様であるため、図３では、移動局４０−１について説明する。
【００３６】
図３に示す移動局４０−１は、制御部４１、送信部４２、受信部４３及び表示部４４を備える。
【００３７】
制御部４１は、例えば、ＣＰＵと、ＣＰＵが処理を実行するためのプログラムやデータの格納領域等を含むＲＯＭ及びＲＡＭ等とを備える。制御部４１は、格納されているプログラムをＣＰＵに実行させることで、第１乃至第３の処理部４１１〜４１３を実現する。
【００３８】
第１の処理部４１１は、リモート監視サーバ１０から送信されるシステム状態要求コマンドを受信部４３により受信すると、リモート監視サーバ１０と移動局４０との間の回線が確立されたとして、システム状態応答コマンドを作成する。システム状態応答コマンドには、移動局４０の状態情報が複数含まれる。第１の処理部４１１は、リモート監視サーバ１０を指定し、作成したシステム状態応答コマンドを送信部４２からゲートウェイ３１−１へＴＣＰパケットとして出力すると共に、表示部４４に「ＯＮＬＩＮＥ」と表示させる。
【００３９】
リモート監視サーバ１０から送信されるシステム状態要求コマンドを最後に受信した後、予め設定した設定時間内に、新たなコマンドを受信しない場合、第１の処理部４１１は、回線が切断されてリモート監視サーバ１０と移動局４０とを接続する回線が回線停止終了ステータスになったと判断する。第１の処理部４１１は、リモート監視サーバ１０と移動局４０とを接続する回線が回線停止終了ステータスになったと判断すると、リモート監視サーバ１０へのコマンドの送信を一切停止し、表示部１４に「ＯＦＦＬＩＮＥ」と表示させる。これにより、予め設定される設定時間、ゲートウェイ３１−１が信号を受信しないことになり、ゲートウェイ３１−１から親モデム５０へ開放要求が送信されることになる。こうして、親モデム５０により割り当てられていた回線が速やかに開放される。
【００４０】
第１の処理部４１１は、利用者によりＴＶ  ＯＮ（０ｄＢ）操作等によるトリガ操作が行われると、予め設定された周期でスタンバイ通知コマンドを作成する。スタンバイ通知コマンドには、移動局４０の状態情報が複数含まれる。ＴＶ  ＯＮ（０ｄＢ）操作とは、送信部４２に設けられるアンテナの衛星方向への角度と、送信部４２から送信される変調波の周波数及び出力レベルの調整とが完了し、ＴＶ（映像、音声）変調波の送信を行う操作である。第１の処理部４１１は、リモート監視サーバ１０と移動局４０との間で回線が確立されるまで、又は、利用者によりＴＶ  ＯＦＦ操作がされるまでスタンバイ通知コマンドを継続して作成する。第１の処理部４１１は、リモート監視サーバ１０を指定し、作成したスタンバイ通知コマンドを送信部４２からゲートウェイ３１−１へＴＣＰパケットとして出力する。スタンバイ通知コマンドは、ダミーデータを兼ねる。
【００４１】
リモート監視サーバ１０と移動局４０との間の回線が確立されているときに、リモート監視サーバ１０からログ取得要求コマンドを受信した場合、第２の処理部４１２は、ログ情報を予め設定されている符号化方式に基づいて符号化する。このとき、第２の処理部４１２は、最新のログ情報から順にログ情報を符号化する。第２の処理部４１２は、符号化した複数のログ情報をまとめてログデータを作成する。一度に送信できるログデータはイーサネット（登録商標）１パケットであり、その容量は１５００バイト以下である。ログデータには、この容量を満たすように、符号化されたログ情報が最大で、例えば、１００件程度含まれる。
【００４２】
図４は、第２の処理部４１２により作成されるログデータを模式的に示す図である。図４に示すログデータは、ヘッダ部、コマンド部及びデータ部を有する。データ部は、第２の処理部４１２により符号化された複数のログ情報を含む。データ部に含まれる各ログ情報は、１項〜７項で構成される。
【００４３】
１項は、件番号を示し、半角数字からなり可変長である。例えば、「１」〜「２０００」が記載される。
【００４４】
２項は、分類を示し、半角英字からなり固定長である。「ＣＯＮＴＲＯＬ」である場合は「Ｃ」が記載され、「ＴＡＬＬＹ」である場合は「Ｔ」が記載され、「ＡＬＡＲＭ」である場合は「Ａ」が記載される。
【００４５】
３項は、日付／時刻を示し、半角数字記号からなり固定長１３バイトである。例えば、「年月日−時分秒」の順で「ＹＹＭＭＤＤ−ＨＨＭＭＳＳ」が記載される。
【００４６】
４項は、機器名称を示し、半角数字からなり固定長３バイトである。４項は、「ａａｂ」のように表され、「ａａ」は機器種別を示し、「ｂ」は番号を示す。ただし、番号付与が不要な場合、「ｂ」は「０」となる。第２の処理部４１２は、「ａａ」と機器種別とを対応付ける第１の対応テーブルを予め記憶する。例えば、機器名称がＳＳＰＡ１である場合、「ａａ」は「０４」であり、「ｂ」は「１」である。また、機器名称がＯＷ  ＭＯＤＥＭである場合、「ａａ」は「０５」であり、「ｂ」は「０」である。なお、第１の対応テーブルは、リモート監視サーバ１０にも予め記憶され、ログデータを復号する際に用いられる。
【００４７】
５項は、ログ情報についての第１の内容を示し、半角英数であり、固定長２バイトである。第１の内容には、「００」〜「９９」、又は、「ＳＪ」が記載される。「００」〜「９９」は、固定文言ログである。第２の処理部４１２は、「００」〜「９９」と固定文言ログとを対応付ける第２の対応テーブルを予め記憶する。なお、第２の対応テーブルは、リモート監視サーバ１０にも予め記憶され、ログデータを復号する際に用いられる。「ＳＪ」は、可変文言ログであることを示す識別子である。５項に「ＳＪ」が記載されている場合、可変文言ログの内容は、６項に記載されることになる。
【００４８】
６項は、ログ情報についての第２の内容を示し、半角英数、記号、全角文字からなり、可変長である。６項は、５項で「ＳＪ」と記載されたときに、可変文言ログが記載され、「ＳＪ」が記載されていないときには「−」と記載される。
【００４９】
７項は、発生又は復旧を示し、半角英字からなり、固定長１バイトである。発生である場合は「Ｈ」が記載され、復旧である場合は「Ｆ」が記載される。
【００５０】
ログデータは、１項〜７項で構成されるログ情報が、１パケット内に収まる件数まで＄区切りで格納されてなる。
【００５１】
第２の処理部４１２は、リモート監視サーバ１０を指定し、作成したログデータを送信部４２からゲートウェイ３１−１へ出力する。第２の処理部４１２は、リモート監視サーバ１０により指定される件数のログ情報を送信するまで、又は、送信する必要のある件数のログ情報を送信するまで、例えば１００ｍｓ間隔でログデータをＴＣＰパケットとして繰り返し送信する。
【００５２】
第２の処理部４１２は、リモート監視サーバ１０により指定される件数のログ情報の送信が完了、又は、送信する必要のある件数のログ情報の送信が完了すると、ログデータ送信完了コマンドを作成する。ログデータ送信完了コマンドには、送信したログ情報の件数についての情報が含まれる。第２の処理部４１２は、リモート監視サーバ１０を指定し、作成したログデータ送信完了コマンドを送信部４２からゲートウェイ３１−１へＴＣＰパケットとして出力する。
【００５３】
第３の処理部４１３は、リモート監視サーバ１０から送信される回線停止要求コマンドを受信部４３により受信すると、リモート監視サーバ１０と移動局４０とを接続する回線が回線停止終了ステータスになったとして、回線停止応答コマンドを作成する。第３の処理部４１３は、リモート監視サーバ１０を指定し、作成した回線停止応答コマンドを送信部４２からゲートウェイ３１−１へＴＣＰパケットとして出力すると共に、表示部４４に「ＯＦＦＬＩＮＥ」と表示させる。第３の処理部４１３は、回線停止応答コマンドを出力した後、一切のコマンド送信を停止する。これにより、予め設定される設定時間、ゲートウェイ３１−１が信号を受信しないことになり、ゲートウェイ３１−１から親モデム５０へ開放要求が送信されることになる。
【００５４】
次に、以上のように構成された衛星通信システムにおいて、リモート監視サーバ１０と、移動局４０との間の通信を詳細に説明する。
【００５５】
図５は、リモート監視サーバ１０から送信されるシステム状態要求コマンドにより、リモート監視サーバ１０と移動局４０との間の回線が確立される際の衛星通信システムのシーケンス図を示す。
【００５６】
リモート監視サーバ１０は、衛星通信システムの利用者によるオンライン要求操作で移動局４０が指定されると、１秒周期で、システム状態要求コマンドを移動局４０へ送信する（シーケンスＳ５１）。このコマンドは、回線確立前のダミーデータ送信を兼ねる。
【００５７】
移動局４０は、リモート監視サーバ１０から送信されるシステム状態要求コマンドを受信すると、リモート監視サーバ１０と移動局４０と間で回線が確立されたとして、システム状態応答コマンドをリモート監視サーバ１０へ送信すると共に、「ＯＮＬＩＮＥ」と表示する（シーケンスＳ５２）。
【００５８】
リモート監視サーバ１０は、システム状態要求コマンドを送信した後、タイムアウト時間１０秒以内に、移動局４０から送信されるシステム状態応答コマンドを受信したか否かを判断する。１０秒以内にシステム状態応答コマンドを受信した場合、リモート監視サーバ１０は、リモート監視サーバ１０と移動局４０との間の回線が確立されたとして、「ＯＮＬＩＮＥ」と表示する（シーケンスＳ５３）。リモート監視サーバ１０は、リモート監視サーバ１０と移動局４０との間の回線が確立された後、１秒周期でシステム状態要求コマンドを移動局４０へ出力する。
【００５９】
１０秒以内にシステム状態応答コマンドを受信しない場合、リモート監視サーバ１０は、次のシステム状態要求コマンドを送信してから、１０秒以内にシステム状態応答コマンドを受信するか否かを再度判断する。リモート監視サーバ１０は、この処理を合計５回繰り返す（メインカウント）。メインカウントにおいてもシステム状態応答コマンドが受信されない場合、リモート監視サーバ１０は、次のシステム状態要求コマンドを送信してから、１０秒以内にシステム状態応答コマンドを受信するか否かの判断をさらに５回繰り返す（サブカウント）。サブカウント内においても、システム状態応答コマンドが受信されない場合、リモート監視サーバ１０は、移動局４０を発見することが不可能であるとして、「ＮＯＴ  ＦＯＵＮＤ」と表示する。
【００６０】
なお、シーケンスＳ４３でリモート監視サーバ１０と移動局４０との間で回線が確立された後に、メインカウント及びサブカウントを経てもシステム状態応答コマンドが受信されない場合、リモート監視サーバ１０は、確立されていた回線が切断されてリモート監視サーバ１０と移動局４０とを接続する回線が回線停止終了ステータスになったとして、「ＯＦＦＬＩＮＥ」と表示する（シーケンスＳ５４）。リモート監視サーバ１０は、回線が切断されたと判断した後、一切のコマンド送信を停止する（シーケンスＳ５５）。
【００６１】
図６は、移動局４０から送信されるスタンバイ通知コマンドにより、リモート監視サーバ１０と移動局４０との間の回線が確立される際の衛星通信システムのシーケンス図を示す。
【００６２】
移動局４０は、利用者によりトリガ操作が行われると、１０秒周期でスタンバイ通知コマンドをリモート監視サーバ１０へ送信する（シーケンスＳ６１）。
【００６３】
リモート監視サーバ１０は、移動局４０からのスタンバイ通知コマンドを受信すると、１秒周期で、システム状態要求コマンドを移動局４０へ送信する（シーケンスＳ６２）。
【００６４】
移動局４０は、リモート監視サーバ１０から送信されるシステム状態要求コマンドを受信すると、リモート監視サーバ１０と移動局４０との間で回線が確立されたとして、システム状態応答コマンドをリモート監視サーバ１０へ送信すると共に、「ＯＮＬＩＮＥ」と表示する（シーケンスＳ６３）。
【００６５】
リモート監視サーバ１０は、システム状態要求コマンドを送信した後、タイムアウト時間１０秒以内に、移動局４０から送信されるシステム状態応答コマンドを受信したか否かを判断する。１０秒以内にシステム状態応答コマンドを受信した場合、リモート監視サーバ１０は、リモート監視サーバ１０と移動局４０との間の回線が確立されたとして、「ＯＮＬＩＮＥ」と表示する（シーケンスＳ６４）。リモート監視サーバ１０は、リモート監視サーバ１０と移動局４０との間の回線が確立された後、１秒周期でシステム状態要求コマンドを移動局４０へ出力する。
【００６６】
なお、リモート監視サーバ１０から送信されるシステム状態要求コマンドを最後に受信した後、新たなコマンドを受信せずに設定時間３０秒が経過した場合、移動局４０は、リモート監視サーバ１０と移動局４０とを接続する回線が回線停止終了ステータスになったと判断し、「ＯＦＦＬＩＮＥ」と表示する（シーケンスＳ６５）。移動局４０は、リモート監視サーバ１０と移動局４０とを接続する回線が回線停止終了ステータスとなったと判断すると、リモート監視サーバ１０へのコマンドの送信を一切停止する（シーケンスＳ６６）。
【００６７】
図７は、リモート監視サーバ１０からのログ取得要求コマンドに応じて、移動局４０がリモート監視サーバ１０へログデータを送信する際の衛星通信システムのシーケンス図を示す。なお、図７において、リモート監視サーバ１０と移動局４０との間で回線が確立されているものとする。
【００６８】
リモート監視サーバ１０は、利用者からログ情報を取得する旨の要求を受けた場合、ログ情報の要求件数を含むログ取得要求コマンドを移動局４０へ送信し、「ＬＯＧ取得中」と表示する（シーケンスＳ７１）。
【００６９】
移動局４０は、リモート監視サーバ１０からログ取得要求コマンドを受信すると、ログ情報を、新たに取得したログ情報から順に符号化する。移動局４０は、符号化した例えば、１００件程度のログ情報からログデータを作成する（シーケンスＳ７２）。移動局４０は、作成したログデータをリモート監視サーバ１０へ、１００ｍｓ周期で送信する（シーケンスＳ７３）。
【００７０】
リモート監視サーバ１０は、移動局４０からログデータを受信すると、受信したログデータを、移動局４０との間で予め設定されている符号化方式に基づいて復号し、ログデータに含まれる複数のログ情報を取得する（シーケンスＳ７４）。
【００７１】
移動局４０は、リモート監視サーバ１０により指定される件数のログ情報を送信するまで、又は、送信する必要のある件数のログ情報を送信するまで、１００ｍｓ間隔でログデータを繰り返し送信する。移動局４０は、リモート監視サーバ１０により指定される件数のログ情報の送信が完了、又は、送信する必要のある件数のログ情報の送信が完了すると、送信したログ情報の件数についての情報を含むログデータ送信完了コマンドをリモート監視サーバ１０へ送信する（シーケンスＳ７５）。
【００７２】
リモート監視サーバ１０は、移動局４０から送信されるログデータ送信完了コマンドを受信すると、受信したログデータ送信完了コマンドに含まれる件数情報が、移動局４０から実際に送信されたログ情報の件数と一致するか否かを判断する（シーケンスＳ７６）。一致する場合、リモート監視サーバ１０は、ログ情報の取得が完了したとして、ログ取得完了コマンドを移動局４０へ送信すると共に、「ＬＯＧ取得完了」と表示する（シーケンスＳ７７）。
【００７３】
受信したログ情報の件数が、移動局４０から送信されたログ情報の件数と一致しない場合、リモート監視サーバ１０は、ログ取得要求コマンドを移動局４０へ再度送信する。
【００７４】
図８は、リモート監視サーバ１０から送信される回線停止要求コマンドにより、リモート監視サーバ１０と移動局４０との間の回線を停止させる際の衛星通信システムのシーケンス図を示す。なお、図８において、リモート監視サーバ１０と移動局４０との間の回線は確立されているものとする。
【００７５】
リモート監視サーバ１０は、利用者から回線を停止する旨の指示を受けると、回線停止要求コマンドを移動局４０へ送信すると共に、「ＯＦＦＬＩＮＥ要求」と表示し、一切のコマンド送信を停止する（シーケンスＳ８１）。
【００７６】
移動局４０は、リモート監視サーバ１０から送信される回線停止要求コマンドを受信すると、リモート監視サーバ１０と移動局４０とを接続する回線が回線停止終了ステータスになったとして、回線停止応答コマンドをリモート監視サーバ１０へ送信すると共に、「ＯＦＦＬＩＮＥ」と表示する（シーケンスＳ８２）。移動局４０は、回線停止応答コマンドをリモート監視サーバ１０へ送信した後、一切のコマンド送信を停止する（シーケンスＳ８３）。
【００７７】
リモート監視サーバ１０は、回線停止要求コマンドを送信した後、回線停止応答コマンドを受信したか否かを判断する。回線停止要求コマンドを送信した後、回線停止応答コマンドを受信した場合、リモート監視サーバ１０は、リモート監視サーバ１０と移動局４０とを接続する回線が回線停止終了ステータスになったとして、「ＯＦＦＬＩＮＥ」と表示する（シーケンスＳ８４）。
【００７８】
回線停止要求コマンドを送信した後、設定時間３０秒内に回線停止応答コマンドを受信しない場合、リモート監視サーバ１０は、回線が切断されてリモート監視サーバ１０と移動局４０とを接続する回線が回線停止終了ステータスになったと判断し、表示部１４に「ＯＦＦＬＩＮＥ」と表示させる。
【００７９】
以上のように、本実施形態では、移動局４０の第２の処理部４１２は、ログ情報を符号化し、符号化した複数のログ情報をまとめて送信するようにしている。これにより、衛星通信システムは、リモート監視サーバ１０と移動局４０との間の通信回数を大幅に減らすことが可能となる。
【００８０】
ＤＡＭＡ回線でのＴＣＰ通信では、送信するデータ量よりも、対向して通信する回数の方が通信の遅延に与える影響が大きいことが知られている。したがって、本実施形態に係る衛星通信システムによれば、ログ情報を送信する際の遅延を極小化することができる。
【００８１】
また、本実施形態では、移動局４０の第２の処理部４１２は、ログ情報を、最新のログ情報から順に符号化するようにしている。これにより、送信する必要のあるログ情報を残して、回線が切断されてしまった場合であっても、リモート監視サーバ１０は、最も必要となる、最新のログ情報を部分的に取得することが可能となる。
【００８２】
また、本実施形態では、移動局４０の第２の処理部４１２は、ログ情報を１項〜７項で構成されるように符号化するようにしている。これにより、移動局４０は、ログ情報を効率的かつ高速に符号化することが可能となる。
【００８３】
また、本実施形態では、リモート監視サーバ１０の第２の処理部１１２は、１項〜７項で構成されるように符号化されたログ情報を復号するようにしている。これにより、リモート監視サーバ１０は、ログ情報を効率的かつ高速に復号することが可能となる。
【００８４】
また、本実施形態では、リモート監視サーバ１０の第２の処理部１１２と、移動局４０の第２の処理部４１２とは、第１の対応テーブルを予め記憶する。第２の処理部４１２は、第１の対応テーブルに従って機器名称を符号化し、符号化した文字を４項に記載する。そして、第２の処理部１１２は、第１の対応テーブルに従い、４項に記載される文字を復号するようにしている。これにより、機器名称を効率的かつ高速に符号化及び復号することが可能となる。
【００８５】
また、本実施形態では、リモート監視サーバ１０の第２の処理部１１２と、移動局４０の第２の処理部４１２とは、第２の対応テーブルを予め記憶する。第２の処理部４１２は、ログ情報が固定文言ログである場合、固定文言ログを第２の対応テーブルに従って符号化し、符号化した文字を５項に記載する。そして、第２の処理部１１２は、第２の対応テーブルに従い、５項に記載される文字を復号するようにしている。これにより、固定文言ログを効率的かつ高速に符号化及び復号することが可能となる。
【００８６】
また、本実施形態では、移動局４０の第２の処理部４１２は、ログ情報が可変文言ログである場合は、５項に「ＳＪ」を記載し、可変文言ログの内容を６項に記載する。リモート監視サーバ１０の第２の処理部１１２は、受信したログ情報の５項に「ＳＪ」が記載されている場合、６項からその内容を読み取るようにしている。これにより、第２の処理部４１２は、随時変化する恐れのある内容については符号化にかかる時間を考慮しなくてもよくなり、符号化が短縮されることになる。
【００８７】
また、本実施形態では、リモート監視サーバ１０の第１の処理部１１１は、回線が確立された後、送信したシステム状態要求コマンドに対するシステム状態応答コマンドがタイムアウト時間内に返信されない状態が所定回数繰り返された場合、一切のコマンド送信を停止するようにしている。ゲートウェイ２１は、設定時間以上信号を受信しない場合、確立されている回線を開放する開放要求を親モデム５０へ送信し、親モデム５０に回線を開放させる。これにより、衛星通信システムは、ＤＡＭＡ回線の占有状態を早期に解消することが可能となる。
【００８８】
また、本実施形態では、リモート監視サーバ１０の第３の処理部１１３は、回線停止要求コマンドを送信した後、一切のコマンド送信を停止する。ゲートウェイ２１は、設定時間以上信号を受信しない場合、確立されている回線を開放する開放要求を親モデム５０へ送信し、親モデム５０に回線を開放させる。これにより、衛星通信システムは、ＤＡＭＡ回線の占有状態を早期に解消することが可能となる。
【００８９】
また、本実施形態では、移動局４０の第１の処理部４１１は、リモート監視サーバ１０から送信されるシステム状態要求コマンドを最後に受信した後、設定時間経過した場合、リモート監視サーバ１０へのコマンドの送信を一切停止する。ゲートウェイ３１−１は、設定時間以上信号を受信しない場合、確立されている回線を開放する開放要求を親モデム５０へ送信し、親モデム５０に回線を開放させる。これにより、衛星通信システムは、ＤＡＭＡ回線の占有状態を早期に解消することが可能となる。
【００９０】
衛星回線では、天候及び回線状況等により、いかなる状況下でも通信が切断される可能性がある。本実施形態に係る衛星通信システムによれば、通信が切断されると、早急に周波数帯が開放されるようになっているため、親モデム５０による回線の割り当てを効率的に実施できる。
【００９１】
また、本実施形態では、移動局４０の第１の処理部４１１は、利用者によりトリガ操作が行われると、スタンバイ通知コマンドをリモート監視サーバ１０へ送信するようにしている。これにより、リモート監視サーバ１０と、移動局４０との双方からアクセスすることが可能となる。
【００９２】
また、本実施形態では、移動局４０の第１の処理部４１１は、システム状態応答コマンドに複数の状態情報を含めるようにしている。これにより、状態情報を送信する回数を減らし、通信の遅延を極小化することが可能となる。
【００９３】
また、本実施形態では、移動局４０の第１の処理部４１１は、スタンバイ通知コマンドに複数の状態情報を含めるようにしている。これにより、状態情報を送信する回数を減らし、通信の遅延を解消することが可能となる。
【００９４】
なお、本実施形態では、１秒の周期でシステム状態要求コマンドが送信され、１０秒の周期でスタンバイ通知コマンドが送信され、１００ｍｓの周期でログデータが送信される場合を例に説明したが、これらに限定される訳ではなく、必要に応じて変更することが可能である。
【００９５】
また、本実施形態では、タイムアウト時間を１０秒と設定しているが、タイムアウト時間は１０秒に限定される訳ではない。
【００９６】
また、本実施形態では、リモート監視サーバ１０の第１の処理部１１１は、リモート監視サーバ１０と、移動局との間の回線が確立される前に送信したシステム要求コマンドを保持するようにしても構わない。第１の処理部１１１は、回線が確立された後、保持しているシステム要求コマンドを、回線が確立された移動局へ送信する。
【００９７】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００９８】
１０…リモート監視サーバ、１１…制御部、１１１…第１の処理部、１１２…第２の処理部、１１３…第３の処理部、１２…送信部、１３…受信部、１４…表示部、２０−１〜２０−ｐ…監視側モデム、２１−１…ゲートウェイ、３０−１〜３０−ｑ…端末側モデム、３１−１〜３１−ｑ…ゲートウェイ、４０−１〜４０−ｒ…移動局、４１…制御部、４１１…第１の処理部、４１２…第２の処理部、４１３…第３の処理部、４２…送信部、４３…受信部、４４…表示部
【図１】
2014116780.tif 000003
【図２】
2014116780.tif 000004
【図３】
2014116780.tif 000005
【図４】
2014116780.tif 000006
【図５】
2014116780.tif 000007
【図６】
2014116780.tif 000008
【図７】
2014116780.tif 000009
【図８】
2014116780.tif 000010